(57)【要約】【課題】  容易にユーザが自分の好みに合わせた電子書籍を表示させることができる電子書籍表示装置を提供する。【解決手段】  地点を表わす出力用地点情報と、出力用画像データまたは出力用音声データとが関連付けられて登録されている画像・音声ＤＢ６を、画像・音声検索部７が、電子書籍データに関連付けられた書籍用地点情報に基づいて検索し、検索結果として得られた出力用画像データまたは出力用音声データを取得する。表示制御部３は、表示しようとするページに関連付けられた書籍用地点情報に基づいて、画像・音声検索部７が、出力用画像データまたは出力用音声データを取得したときは、そのページに関連付けられた文章データに基づく文章を表示するとともに、取得した出力用画像データに基づく検索画像の表示または出力用音声データに基づく音声の出力を行う。【選択図】      図１
2013239084.tif 000002
【特許請求の範囲】
【請求項１】
１または複数のページデータからなる電子書籍データを表示するための電子書籍表示装置であって、
１つのページデータに、文章データと、地点を表わす書籍用地点情報とが関連付けられた電子書籍データを記憶する記憶手段と、
地点を表わす出力用地点情報と、出力用画像データまたは出力用音声データとが関連付けられて登録されているデータベースを、前記書籍用地点情報に基づいて検索し、検索結果として得られた前記出力用画像データまたは前記出力用音声データの少なくともいずれかを取得する取得手段と、
前記文章データに基づく文章を、１ページデータ単位で表示する出力手段であって、表示しようとするページデータに関連付けられた前記書籍用地点情報に基づいて、前記取得手段が、前記出力用画像データまたは前記出力用音声データの少なくともいずれかを取得したときは、当該ページデータに関連付けられた文章データに基づく文章を表示するとともに、取得した前記出力用画像データに基づく画像の表示または前記出力用音声データに基づく音声の出力の少なくともいずれかを行う出力手段と、を有することを特徴とする電子書籍表示装置。
【請求項２】
前記電子書籍データは、１つのページデータに、さらに書籍用画像データまたは書籍用音声データの少なくともいずれかが関連付けられており、
前記出力手段は、表示しようとするページデータに関連付けられた前記書籍用地点情報に基づいて、前記取得手段が、前記出力用画像データおよび前記出力用音声データを取得しなかったときは、当該ページデータに関連付けられた文章データに基づく文章を表示するとともに、前記書籍用画像データに基づく画像を表示するか、または前記書籍用音声データに基づく音声を出力することを特徴とする請求項１記載の電子書籍表示装置。
【請求項３】
前記取得手段は、表示しようとするページデータに関連付けられた前記書籍用地点情報で特定される地点と、前記データベースに登録されている前記出力用地点情報で特定される地点との距離を算出し、算出した距離に基づいて予め定める複数の出力用地点情報を選択し、選択した複数の出力用地点情報にそれぞれ関連付けられた出力用画像データまたは出力用音声データを取得することを特徴とする請求項１または２記載の電子書籍表示装置。
【請求項４】
前記出力手段は、前記取得手段が、複数の出力用画像データを取得したときは、複数の出力用画像データを一定の間隔で順次表示させ、複数の出力用音声データを取得したときは、複数の出力用音声データを一定の間隔で順次出力させることを特徴とする請求項３記載の電子書籍表示装置。
【請求項５】
被写体を撮像して撮像画像データを取得する撮像手段と、
電子書籍表示装置の現在の地点を表わす装置地点情報を取得する地点情報取得手段と、
前記撮像手段が取得した撮像画像データと、該撮像画像データを取得した時に、前記地点情報取得手段が取得した電子書籍表示装置の現在の地点を表わす装置地点情報とを関連付けて記憶する記憶手段と、
前記記憶手段を前記書籍用地点情報に基づいて検索し、検索結果として前記撮像画像データを得る検索手段と、をさらに有し、
前記出力手段は、表示しようとするページデータに関連付けられた前記書籍用地点情報に基づいて、前記検索手段が、前記撮像画像データを得たときは、当該ページデータに関連付けられた文章データに基づく文章を表示するとともに、得られた前記撮像画像データに基づく画像の表示を行うことを特徴とする請求項１〜４のいずれか１つに記載の電子書籍表示装置。
【発明の詳細な説明】
【技術分野】
【０００１】
本発明は、文章と挿絵画像などの電子書籍を表示する電子書籍表示装置に関する。
【背景技術】
【０００２】
書籍や新聞などを電子化した電子書籍は、読みたいときに読みたいものを配信サーバなどからダウンロードして自由に楽しむことができ、持ち運ぶ際にも、紙媒体の書籍のように重くなく、嵩張ることもないので、広く使われ始めている。特に、スマートフォンやタブレットＰＣ（パーソナルコンピュータ）など、無線通信機能およびタッチパネル機能などを備えた端末装置は、その使い易さから電子書籍表示装置として適しており、単に電子書籍を表示するだけでなく、種々の追加機能などが付加されている。
【０００３】
特許文献１には、テキストコンテンツからキーワードを認識し、キーワードに応じて外部からテキストコンテンツに関する付加情報を取得し、取得した付加情報をテキストコンテンツの一部とともに表示する情報処理装置が記載されている。これによって、テキストコンテンツに簡便に臨場感の付与することを可能としている。
【先行技術文献】
【特許文献】
【０００４】
【特許文献１】特開２０１１−２１６０７１号公報
【発明の概要】
【発明が解決しようとする課題】
【０００５】
電子書籍表示装置は、電子書籍データに基づいて、文章と挿絵画像などをページ単位で表示する。挿絵画像の画像データは、予め電子書籍データとして、文章のテキストデータとともに、関連付けられている。この挿絵画像を、たとえば、ユーザが自分で撮影した写真に置き換えたり、自分で描いたイラストなどに置き換えたり、インターネット上で第三者がサーバ装置にアップロードした共有画像に置き換えたりすることができれば、ユーザが自分の好みに合わせて電子書籍を表示させることができるようになる。
【０００６】
特許文献１記載の情報処理装置は、キーワードに応じて付加情報を取得することができるが、付加情報として挿絵画像の画像データを取得させようとした場合には、画像データにキーワードに相当する文字情報を予め関連付けて登録しておく必要がある。ユーザ自身が電子書籍表示装置に画像データを登録するような場合は、キーワードに相当する文字情報を付加することができるかもしれないが、登録に要する操作が煩雑である。また、第三者がアップロードした画像データには、キーワードに相当する文字情報が関連付けられていない画像データがほとんどであり、このような画像データについては、取得して挿絵画像を置き換えるための画像データとすることはできない。
【０００７】
画像データなどを取得するために、キーワード検索を行うためには、文字列をキーとして大量のテキストデータを対象としなければならず、検索処理に要する演算負荷が大きくなることを避けられない。
【０００８】
本発明の目的は、容易にユーザが自分の好みに合わせた電子書籍を表示させることができる電子書籍表示装置を提供することである。
【課題を解決するための手段】
【０００９】
本発明は、１または複数のページデータからなる電子書籍データを表示するための電子書籍表示装置であって、１つのページデータに、文章データと、地点を表わす書籍用地点情報とが関連付けられた電子書籍データを記憶する記憶手段と、
地点を表わす出力用地点情報と、出力用画像データまたは出力用音声データとが関連付けられて登録されているデータベースを、前記書籍用地点情報に基づいて検索し、検索結果として得られた前記出力用画像データまたは前記出力用音声データの少なくともいずれかを取得する取得手段と、
前記文章データに基づく文章を、１ページデータ単位で表示する出力手段であって、表示しようとするページデータに関連付けられた前記書籍用地点情報に基づいて、前記取得手段が、前記出力用画像データまたは前記出力用音声データの少なくともいずれかを取得したときは、当該ページデータに関連付けられた文章データに基づく文章を表示するとともに、取得した前記出力用画像データに基づく画像の表示または前記出力用音声データに基づく音声の出力の少なくともいずれかを行う出力手段と、を有することを特徴とする電子書籍表示装置である。
【００１０】
また本発明は、前記電子書籍データは、１つのページデータに、さらに書籍用画像データまたは書籍用音声データの少なくともいずれかが関連付けられており、
前記出力手段は、表示しようとするページデータに関連付けられた前記書籍用地点情報に基づいて、前記取得手段が、前記出力用画像データおよび前記出力用音声データを取得しなかったときは、当該ページデータに関連付けられた文章データに基づく文章を表示するとともに、前記書籍用画像データに基づく画像を表示するか、または前記書籍用音声データに基づく音声を出力することを特徴とする。
【００１１】
また本発明は、前記取得手段は、表示しようとするページデータに関連付けられた前記書籍用地点情報で特定される地点と、前記データベースに登録されている前記出力用地点情報で特定される地点との距離を算出し、算出した距離に基づいて予め定める複数の出力用地点情報を選択し、選択した複数の出力用地点情報にそれぞれ関連付けられた出力用画像データまたは出力用音声データを取得することを特徴とする。
【００１２】
また本発明は、前記出力手段は、前記取得手段が、複数の出力用画像データを取得したときは、複数の出力用画像データを一定の間隔で順次表示させ、複数の出力用音声データを取得したときは、複数の出力用音声データを一定の間隔で順次出力させることを特徴とする。
【００１３】
また本発明は、被写体を撮像して撮像画像データを取得する撮像手段と、
電子書籍表示装置の現在の地点を表わす装置地点情報を取得する地点情報取得手段と、
前記撮像手段が取得した撮像画像データと、該撮像画像データを取得した時に、前記地点情報取得手段が取得した電子書籍表示装置の現在の地点を表わす装置地点情報とを関連付けて記憶する記憶手段と、
前記記憶手段を前記書籍用地点情報に基づいて検索し、検索結果として前記撮像画像データを得る検索手段と、をさらに有し、
前記出力手段は、表示しようとするページデータに関連付けられた前記書籍用地点情報に基づいて、前記検索手段が、前記撮像画像データを得たときは、当該ページデータに関連付けられた文章データに基づく文章を表示するとともに、得られた前記撮像画像データに基づく画像の表示を行うことを特徴とする。
【発明の効果】
【００１４】
本発明によれば、地点を表わす出力用地点情報と、出力用画像データまたは出力用音声データとが関連付けられて登録されているデータベースを、取得手段が、電子書籍データに関連付けられた書籍用地点情報に基づいて検索し、検索結果として得られた出力用画像データまたは出力用音声データの少なくともいずれかを取得する。
【００１５】
出力手段は、表示しようとするページデータに関連付けられた前記書籍用地点情報に基づいて、前記取得手段が、前記出力用画像データまたは前記出力用音声データの少なくともいずれかを取得したときは、当該ページデータに関連付けられた文章データに基づく文章を表示するとともに、取得した前記出力用画像データに基づく画像の表示または前記出力用音声データに基づく音声の出力の少なくともいずれかを行う。
【００１６】
これにより、検索処理としては、出力用地点情報で表わされる地点と、書籍用地点情報で表わされる地点との関係に基づいて検索するだけでよいので、検索処理に要する演算負荷を小さくすることができ、容易にユーザが自分の好みに合わせた電子書籍を表示させることができる。
【００１７】
また本発明によれば、前記電子書籍データは、１つのページデータに、さらに書籍用画像データまたは書籍用音声データの少なくともいずれかが関連付けられている。
【００１８】
前記出力手段は、表示しようとするページデータに関連付けられた前記書籍用地点情報に基づいて、前記取得手段が、前記出力用画像データおよび前記出力用音声データを取得しなかったときは、当該ページデータに関連付けられた文章データに基づく文章を表示するとともに、前記書籍用画像データに基づく画像を表示するか、または前記書籍用音声データに基づく音声を出力する。
【００１９】
書籍用画像データおよび書籍用音声データは、予め電子書籍データに含まれている。すなわち、電子書籍作成側によって選択された挿絵画像や効果音、音楽などである。取得手段が、前記出力用画像データおよび前記出力用音声データを取得しなかったときは、何も表示されず、何も出力されないのではなく、挿絵画像を表示したり、効果音を出力することができる。
【００２０】
また本発明によれば、前記取得手段は、表示しようとするページデータに関連付けられた前記書籍用地点情報で特定される地点と、前記データベースに登録されている前記出力用地点情報で特定される地点との距離を算出し、算出した距離に基づいて予め定める複数の出力用地点情報を選択し、選択した複数の出力用地点情報にそれぞれ関連付けられた出力用画像データまたは出力用音声データを取得する。
【００２１】
検索処理として、地点間の距離を算出するだけでよいので、検索処理に要する演算負荷をさらに小さくすることができる。
【００２２】
また本発明によれば、前記出力手段は、前記取得手段が、複数の出力用画像データを取得したときは、複数の出力用画像データを一定の間隔で順次表示させ、複数の出力用音声データを取得したときは、複数の出力用音声データを一定の間隔で順次出力させる。
【００２３】
これにより、出力用画像データに基づく画像をスライドショーのように表示させることができ、出力用音声データに基づく音声を連続再生することができる。
【００２４】
また本発明によれば、記憶手段が、撮像手段が取得した撮像画像データと、該撮像画像データを取得した時に、地点情報取得手段が取得した電子書籍表示装置の現在の地点を表わす装置地点情報とを関連付けて記憶する。検索手段は、前記記憶手段を前記書籍用地点情報に基づいて検索し、検索結果として前記撮像画像データを得る。前記出力手段は、表示しようとするページデータに関連付けられた前記書籍用地点情報に基づいて、前記検索手段が、前記撮像画像データを得たときは、当該ページデータに関連付けられた文章データに基づく文章を表示するとともに、得られた前記撮像画像データに基づく画像の表示を行う。
【００２５】
撮像手段であるデジタルカメラと地点情報取得手段であるＧＰＳ受信機とを備えることによって、容易に出力用画像データを取得して記憶手段に記憶することができる。
【図面の簡単な説明】
【００２６】
【図１】本発明の実施形態である電子書籍表示装置１を含む通信システム１００の構成を示すブロック図である。
【図２】縦向き表示における電子書籍データの表示例を示す図である。
【図３】横向き表示における電子書籍データの表示例を示す図である。
【図４】評価メニュー４０の表示例を示す図である。
【図５】地点情報追加モードにおける地点情報追加メニュー５０の表示例を示す図である。
【図６】電子書籍表示装置１によるページ表示処理を示すフローチャートである。
【図７】電子書籍検索結果画面の表示例を示す図である。
【発明を実施するための形態】
【００２７】
図１は、本発明の実施形態である電子書籍表示装置１を含む通信システム１００の構成を示すブロック図である。
【００２８】
通信システム１００は、電子書籍表示装置１と、サーバ装置１４とからなり、電子書籍表示装置１とサーバ装置１４とが、通信網を介してデータ通信可能に接続されている。
【００２９】
電子書籍表示装置１は、表示パネル２、表示制御部３、書籍データベース（ＤＢ）４、書籍地点情報データベース（ＤＢ）５、画像・音声データベース（ＤＢ）６、画像・音声検索部７、撮像部８、音声入力部９、ＧＰＳ受信部１０、テキスト送信部１１、地点情報受信部１２および通信インターフェイス（ＩＦ）１３を備える。
【００３０】
サーバ装置１４は、制御部１５、外部データベース１６、サーバ側通信インターフェイス（ＩＦ）１７、キーワード抽出部１８および地点情報変換部１９を備える。
【００３１】
電子書籍表示装置１は、電子書籍データの表示に特化した専用機であってもよく、電子書籍ビューワなどのソフトウェアをインストールして実行するパーソナルコンピュータなどの情報処理装置であってもよく、電子書籍アプリなどのアプリケーションをインストールして実行するスマートフォンなどの携帯端末装置などであってもよい。
【００３２】
表示パネル２は、液晶表示パネル、プラズマ表示パネル、有機ＥＬ（エレクトロルミネッセンス）表示パネル、各種電子ペーパなど、電子書籍データに基づく文章および画像を表示することが可能な表示装置である。また、本実施形態において、表示パネル２は、入力手段としてのタッチパネルを含み、電子書籍表示装置１の操作は、主に表示パネル２に含まれるタッチパネルによって行われる。タッチパネルに限らず、キーボード、マウスなどの入力手段を用いることもできる。
【００３３】
表示制御部３は、電子書籍表示装置１の動作全体を制御し、電子書籍データに基づいて、文章および挿絵画像などを表示パネル２に表示させる。
【００３４】
書籍ＤＢ４は、電子書籍データを記憶する。電子書籍データは、１または複数のページデータからなり、１つのページデータに、文章データ、書籍用画像データおよび書籍用音声データの少なくとも１つのデータが割り当てられている。書籍用画像データは、たとえば、同じページに割り当てられた文章データの内容に関連する挿絵画像を表示するための画像データ、表紙画像を表示するための画像データなどである。書籍用音声データは、たとえば、同じページに割り当てられた文章データの内容に関連する音楽、人や動物の声、環境音などを出力するための音声データである。
【００３５】
書籍地点情報ＤＢ５は、書籍用地点情報と書籍内位置情報とが関連付けられて記憶される。書籍用地点情報は、世界測地系基準において地上の１地点を特定するための情報であり、緯度および経度で表わされる。さらに、方角などの情報を含んでいてもよい。書籍内位置情報は、電子書籍データに含まれる文章や単語が、電子書籍内でどの位置にあるかを特定するための情報であり、書籍を特定するための書籍ＩＤ、ページを特定するためのページ番号、およびパラグラフを特定するためのパラグラフ番号などで構成される。書籍地点情報ＤＢ５を参照することで、電子書籍に含まれる文章や単語などの書籍内位置が特定され、さらに地点（経緯度）が特定される。
【００３６】
画像・音声ＤＢ６は、出力用画像データおよび出力用音声データがそれぞれ出力用地点情報と関連付けられて記憶されている。出力用地点情報は、書籍用地点情報と同様に地上の１地点を特定するための情報であり、緯度および経度で表わされる。さらに方角などの情報を含んでいてもよい。
【００３７】
表示制御部３が、文章データと書籍用画像データとが割り当てられたページ、文章データと書籍用音声データとが割り当てられたページ、文章データと書籍用画像データおよび書籍用音声データとが割り当てられたページを表示しようとするときに、画像・音声検索部７は、書籍地点情報ＤＢ５を参照し、表示しようとするページの文章データに関連付けられた書籍用地点情報を取得し、取得した書籍用地点情報を検索キーとして画像・音声ＤＢ６を検索し、検索結果として得られた出力用画像データまたは出力用音声データを表示制御部３へ出力する。
【００３８】
表示制御部３は、画像・音声検索部７から出力用画像データまたは出力用音声データが入力されると、得られた出力用画像データを、書籍用画像データに代えて表示し、検索結果として得られた出力用音声データを、書籍用音声データに代えて出力する。
【００３９】
撮像部８は、被写体を撮像して画像データを取得するデジタルカメラで構成され、撮像して得られた画像データを、出力用画像データとして画像・音声ＤＢ６に記憶する。この撮像時に、後述のＧＰＳ受信部１０で、経緯度などの地点情報を取得し、取得した地点情報を出力用地点情報として、撮像した出力用画像データと関連付けて画像・音声ＤＢ６に記憶する。カメラ機能およびＧＰＳ受信機能を標準的に備えるスマートフォンでは、風景などを撮像し、地点情報を付加して画像・音声ＤＢ６に容易に記憶することができる。
【００４０】
音声入力部９は、外部装置から出力用地点情報が関連付けられた出力用音声データを入力する装置であって、入力された出力用音声データと出力用地点情報とが、関連付けられた状態で画像・音声ＤＢ６に記憶される。また、音声入力部９は、たとえば、マイクと録音装置などで構成され、マイクを介して入力される音声を録音して音声データを作成し、出力用音声データとして画像・音声ＤＢ６に記憶してもよい。この録音時に、後述のＧＰＳ受信部１０で、経緯度などの地点情報を取得し、取得した地点情報を出力用地点情報として、録音した出力用音声データと関連付けて画像・音声ＤＢ６に記憶する。録音機能およびＧＰＳ受信機能を標準的に備えるスマートフォンでは、川の流れの音や鳥の鳴き声、街中の喧騒など環境音を録音し、地点情報を付加して画像・音声ＤＢ６に容易に記憶することができる。
【００４１】
ＧＰＳ受信部１０は、Global Positioning Systemのユーザ・セグメントに相当するＧＰＳ受信機で構成され、少なくとも緯度および経度の測位が可能であればよく、高度を含む３次元測位を行い、地点情報に高度を付加することもできる。ＧＰＳ受信部１０による地点情報の取得は、上記のように撮像部８による出力用画像データの取得、音声入力部９による出力用音声データの取得に同期させる。
【００４２】
テキスト送信部１１は、書籍ＤＢ４に記憶されている電子書籍データの文章データをサーバ装置１４に送信する。サーバ装置１４とのデータ通信は、電子書籍表示装置１の通信インターフェイス１３とサーバ側通信インターフェイス１７との間で、所定の通信プロトコルにより行われる。通信プロトコルとしては、一般にはＨＴＴＰ（Hypertext Transfer Protocol）が利用される。また、文章データの全文をサーバ装置１４に送信するのではなく、電子書籍表示装置１に表示中のページの文章データのみを送信する、あるいは文章データから格詞や格助詞を取り除いて、文章データに含まれる自立語のみを送信してもよい。
【００４３】
ここで、サーバ装置１４の動作について説明する。サーバ装置１４は、制御部１５、外部データベース（ＤＢ）１６、サーバ側通信インターフェイス１７、キーワード抽出部１８、地点情報変換部１９などを備える。テキスト送信部１１から送信された文章データを、キーワード抽出部１８が受信し、受信した文章データから地点に関連するキーワードをキーワード抽出部１８が抽出する。抽出されたキーワードは、地点情報変換部１９で地点情報に変換されて、キーワードとともに電子書籍表示装置１に送信される。
【００４４】
電子書籍表示装置１の地点情報受信部１２は、サーバ装置１４から送信されたキーワードと地点情報とを受信し、文章データに含まれるキーワードに対して、受信した地点情報を書籍用地点情報として関連付けて書籍地点情報ＤＢ５に記憶する。
【００４５】
また、画像・音声検索部７は、画像・音声ＤＢ６を検索する代わりに、または検索してさらに、サーバ装置１４が備える外部ＤＢ１６の検索結果を受信することもできる。
【００４６】
画像・音声検索部７は、検索キーとなる書籍用地点情報をサーバ装置１４に送信し、サーバ装置１４の制御部１５が、書籍用地点情報を受信して外部ＤＢ１６を検索する。検索結果として、出力用画像データ、出力用音声データが得られた場合は、制御部１５が電子書籍表示装置１に送信する。画像・音声検索部７は、サーバ装置１４から出力用画像データ、出力用音声データを受信すると、検索結果として受信した出力用画像データまたは出力用音声データを表示制御部３へ出力する。
【００４７】
なお、外部データベースは、サーバ装置１４が備えるデータベースに限らず、サーバ装置１４がインターネット上の他のデータベースなどをさらに検索して出力用画像データおよび出力用音声データを取得してもよい。
【００４８】
このように、電子書籍表示装置１は、予め電子書籍データとして文章データに関連付けられている書籍用画像データおよび書籍用音声データの代わりに、画像・音声ＤＢ６に記憶されている出力用画像データおよび出力用音声データを表示、出力することができる。また、サーバ装置１４との通信によって、画像・音声ＤＢ６だけでなく、たとえばインターネット上の画像アップローダやコンテンツアップローダに登録されている画像データおよび音声データを、出力用画像データおよび出力用音声データとして取得して、書籍用画像データおよび書籍用音声データの代わりに、表示、出力することもできる。
【００４９】
画像・音声検索部７による出力用画像データおよび出力用音声データの検索について説明する。上記のように、画像・音声検索部７は、表示パネル２に電子書籍の各ページが表示される際に、書籍用地点情報を検索キーとして画像・音声ＤＢ６を検索する。この検索では、書籍用地点情報によって特定される地点と、画像・音声ＤＢ６に登録されている出力用画像データおよび出力用音声データに関連付けられた各出力用地点情報によって特定される地点との距離を算出し、算出した距離に基づいて、予め定める数の出力用地点情報を選択し、選択した出力用地点情報に関連付けられた出力用画像データまたは出力用音声データを、検索結果として表示制御部３へ出力する。
【００５０】
距離に基づく出力用地点情報の選択には、距離が短い順に所定数の出力用地点情報を選択する第１態様、予め定める距離を空けて所定数の出力用地点情報を選択する第２態様がある。
【００５１】
第１態様では、算出した距離に基づいて出力用地点情報をソートし、距離が短い方から所定数の出力用地点情報を選択する。距離が離れ過ぎていると、全く関連の無い出力用画像データが検索結果として出力されてしまうので、距離の上限値を設定しておき、上限値を超える出力用地点情報は、選択しないようにしてもよい。
【００５２】
第２態様では、予め異なる複数の距離を設定しておき、書籍用地点情報からの距離が設定された距離に最も近い出力用地点情報を、各距離に１地点ずつ選択する。
【００５３】
図２は、縦向き表示における電子書籍データの表示例を示す図である。図２（ａ）は、挿絵などを表示するための画像領域が設定されていないページの表示例を示し、図２（ｂ）は、挿絵などを表示するための画像領域が設定されているページの表示例を示す。
【００５４】
電子書籍表示装置１が備える表示パネル２は、通常、表示画面が矩形状（長方形状）であり、かつ初期の表示設定では、縦向きで表示する場合が多い。縦向きとは、ユーザが表示画面を見たときに、表示パネル２の長辺が上下方向に平行となるような向きであり、この向きで文字や画像が正しく読めるように表示される。これは、雑誌や新聞などを含む紙媒体の書籍が縦長であるものがほとんどであるので、これに対応して初期の表示設定では、表示パネル２の画面を最大限に利用できる縦向き表示としている。図２の表示例は、縦向き表示の例を示している。
【００５５】
図２（ａ）に示す例では、１ページ分のページデータを表示するページ表示領域２０が、ページデータに割り当てられた文章データに基づく文章を表示する文章領域２１と、検索結果として得られた出力用画像データに基づく画像（以下では、「検索画像」という場合がある）を表示する追加画像領域２２とで構成される。表示するページに挿絵などを表示させるための書籍用画像データが割り当てられていない場合は、たとえば、文章領域２１の下方側に、ページ表示領域２０の幅方向に延びる帯状の追加画像領域２２を設定し、検索結果として得られた出力用画像データを、設定した追加画像領域２２に表示する。検索結果として複数の出力用画像データが得られた場合は、たとえば本例に示すように、追加画像領域２２に複数の検索画像を並べて表示する。表示する１つの検索画像の大きさは、追加画像領域２２の高さに応じて適宜変倍される。追加画像領域に並べて表示しても、全ての検索画像を表示できないときは、スクロール表示させてもよい。タッチパネルによって操作可能なときは、追加画像領域２２に対応する領域で、スライド操作、フリック操作など予め定める操作を行うことで、スクロール表示させることが好ましい。また、１つ１つの画像が小さいので、追加画像領域２２に表示されている検索画像の１つを選択すると、たとえば選択された検索画像を拡大して表示するように構成してもよい。タッチパネルによって操作可能なときは、拡大させたい検索画像に対応する位置でシングルタップ操作またはダブルタップ操作を行うと、タップされた検索画像を拡大して表示させることが好ましい。
【００５６】
なお、検索画像を表示するか否かは、予め表示設定によって設定可能とすることが好ましい。検索画像を表示するように設定されている場合には、上記のように追加画像領域２２に検索画像を表示し、検索画像を表示しないように設定されている場合には、追加画像領域２２を設定することなくページ表示領域２０に、文章領域２１のみを設定すればよい。
【００５７】
図２（ｂ）に示す例では、１ページ分のページデータを表示するページ表示領域２０が、ページデータに割り当てられた文章データに基づく文章を表示する文章領域２１と、ページデータに割り当てられた書籍用画像データに基づく挿絵画像を表示する挿絵画像表示領域２３とで構成される。
【００５８】
挿絵画像表示領域２３には、電子書籍データで割り当てられた書籍用画像データに基づく挿絵画像を表示させるが、検索結果として得られた出力用画像データに基づく検索画像を表示するようにしてもよい。検索画像を挿絵画像表示領域２３に表示させる場合は、本来割り当てられていた挿絵画像と同様に表示することが好ましい。本来の挿絵画像が挿絵画像表示領域２３に、１枚だけ表示され、表示サイズも挿絵画像表示領域２３の大きさに一致するようなサイズで表示される場合は、同様に表示する。サイズについては、必要に応じて挿絵画像表示領域２３の大きさに合わせて、検索画像を変倍して表示すればよい。検索画像が複数あれば、複数の検索画像を一定の間隔で順次表示させる、いわゆるスライドショーのように表示させてもよく、タッチパネルによって操作可能なときは、挿絵画像表示領域２３に対応する領域で、スライド操作、フリック操作、タップ操作など予め定める操作を行うことで、表示する検索画像を順次切り換えるようにしてもよい。
【００５９】
書籍用画像データが割り当てられ、かつ検索画像を表示させるように設定されている場合は、挿絵画像を検索画像に含まれる１つの画像として扱い、挿絵画像を含む複数の画像を挿絵画像表示領域２３に表示するように構成してもよく、挿絵画像は表示せずに、検索画像のみを挿絵画像表示領域２３に表示するように構成してもよい。
【００６０】
図３は、横向き表示における電子書籍データの表示例を示す図である。図３（ａ）は、文章表示モードの表示例を示し、図３（ｂ）は、画像表示モードの表示例を示している。上記のように、電子書籍データは、初期の設定において、縦向き表示で各ページを表示する。したがって、各ページのレイアウトは、縦向き表示を前提に決められている場合が多い。一方で、電子書籍表示装置１は、縦向き表示だけではなく、横向き表示も可能となっている。横向きは、表示面に直交する回転軸線に対して９０度回転させたときの向きであって、表示パネル２の長辺が左右方向に平行となるような向きであり、この向きで文字や画像が正しく読めるように表示される。図３の表示例は、横向き表示の例を示している。
【００６１】
横向き表示では、電子書籍の本来のレイアウトとは異なる表示態様となるので、たとえば、文章のみを表示する文章表示モードと、画像のみを表示する画像表示モードとを切り換え可能な構成となっている。
【００６２】
図３（ａ）に示す例では、１ページ分のページデータを表示するページ表示領域３０が、ページデータに割り当てられた文章データに基づく文章のみを表示する文章領域３１と、表示モードを切り換えるための切り換えキーを表示するキー領域３２とで構成される。キー領域３２には、文章表示モードに切り換えるための文章キー３２ａおよび画像表示モードに切り換えるための画像キー３２ｂが配置されている。タッチパネルによって操作可能なときは、文章キー３２ａに対応する領域内をタップ操作すれば、文章表示モードに切り換わり、画像キー３２ｂに対応する領域内をタップ操作すれば、画像表示モードに切り換わる。
【００６３】
現在ページ表示領域に表示されているページデータに書籍用画像データが割り当てられている場合は、画像キー３２ｂをタップ操作することにより、画像表示モードに切り換わり、割り当てられている書籍用画像データに基づく挿絵画像が表示される。書籍用画像データが割り当てられていない場合であっても、表示設定において、検索画像を表示するように設定されている場合は、画像表示モードに切り換えられたときに、検索画像を表示させる。
【００６４】
図３（ｂ）に示す例では、１ページ分のページデータを表示するページ表示領域３０が、検索結果として得られた出力用画像データに基づく検索画像を表示する追加画像領域３３と、キー領域３２とで構成される。
【００６５】
追加画像領域３３は、図２（ａ）に示した追加画像領域２２と同様の領域であり、表示画面のキー領域３２を除く領域全体に検索画像を表示する。１つの検索画像を中央に拡大表示し、左右両側に他の検索画像を小さく表示させる。タッチパネルによって操作可能なときは、追加画像領域３３に対応する領域で、スライド操作、フリック操作など予め定める操作を行うことで、複数の検索画像を左右方向にスクロール表示させることが好ましい。
【００６６】
挿絵画像データが割り当てられている場合は、追加画像領域３３に代わって、挿絵画像を表示するための表示領域が設定され、挿絵画像が表示される。
【００６７】
書籍用画像データが割り当てられ、かつ検索画像を表示させるように設定されている場合は、挿絵画像を検索画像に含まれる１つの画像として扱い、挿絵画像を含む複数の画像を追加画像領域３３に表示するように構成してもよく、挿絵画像は表示せずに、検索画像のみを追加画像領域３３に表示するように構成してもよい。
【００６８】
なお、書籍用画像データが割り当てられていない場合であって、検索画像を表示させないように設定されている場合は、表示させる画像が無いので、キー領域３２を設定せず、ページ表示領域３０に文章領域３１のみを設定すればよい。
【００６９】
縦向き表示で、追加画像領域２２に表示されている検索画像の１つを選択して１つの検索画像を拡大表示した場合、および横向き表示の画像表示モードで、中央に１つの検索画像が表示されている場合に、それらの検索画像を選択する操作を行うと、当該検索画像についての評価を入力するための評価モードに切り換わる。評価モードでは、表示パネル２の表示画面に評価メニューが表示され、各種の評価項目を入力することができる。
【００７０】
図４は、評価メニュー４０の表示例を示す図である。図４に示す例では、評価項目として、「お気に入り」４１、「除外設定」４２、「友人と共有する」４３、「みんなと共有する」４４が設けられる。
【００７１】
「お気に入り」４１は、その検索画像をどの程度気に入ったのかを、５段階で評価し、評価結果を入力する。本例では、５つの星を５段階に対応させ、星１つを選択すれば、気に入った度合いが最も低いとの評価が入力され、星５つ選択すれば気に入った度合いが最も高いとの評価が入力される。
【００７２】
このように入力される評価結果は、画像・音声検索部７による出力用画像データおよび出力用音声データの検索において重み付けとして処理される。重み付けが設定されていない場合は、書籍地点情報によって特定される地点と、出力用地点情報によって特定される地点との距離のみで検索結果が得られるが、重み付けが設定される場合は、算出された距離に対して、評価結果に基づく重み付け係数が乗算され、重み付け係数が乗算された結果に基づいて順位が決定される。たとえば、星３つを評価の基準として、係数を１とする。星２つであれば評価が低いので、検索結果の順位としては、低くすべきであり、たとえば係数を１より大きい２として距離が離れるような係数とする。星１つであればさらに評価が低いので、検索結果の順位としてさらに低くすべきであり、たとえば係数を２よりも大きい５として距離がさらに離れるような係数とする。星４つであれば評価が高いので、検索結果の順位としては、高くすべきであり、たとえば係数を１より小さい０．５として距離が近づくような係数とする。星５つであればさらに評価が高いので、検索結果の順位としてさらに高くすべきであり、たとえば係数を０．５よりも小さい０．２として距離がさらに近づくような係数とする。なお、上記の重み付け係数の具体的な数値は、一例であって、評価と係数との対応関係が上記のような関係であれば、特定の値には限定されない。
【００７３】
出力用画像データは、予め付されていたファイルネームや、改めて付したファイルネームなどによって識別可能であるので、ファイルネームと重み付け係数を含む評価結果とを関連付けた評価データを画像・音声検索部７に記憶しておく。他のページを表示する場合や、後に同じページを表示する場合に、画像・音声検索部７が検索することにより、重み付け無しで距離を算出して仮の順位を決定したのち、記憶していた評価データを参照して、各出力用画像データに関連付けられた評価結果があるかどうかを判断し、関連付けられた評価結果が有る場合は、重み付け係数を読み出して該当する出力用画像データの距離に係数を乗算する。なお、評価結果が入力されていない出力用画像データについては、一律で係数を０．１とする。評価メニュー４０による評価結果の入力は、入力操作を行う必要があるので、少なくともユーザが入力操作を行ってまで評価を入力した出力用画像データについては、たとえ星１つの評価であったとしても、評価結果が入力されていない出力用画像データに比べて、ユーザが気に入った度合いが高いものとする。仮に順位付けられた全ての出力用画像データについて重み付け係数が乗算されると、計算結果に基づいて最終順位を決定する。
【００７４】
「除外設定」４２は、評価メニューではチェックボックスへの入力によって評価され、チェックされた場合は、その検索画像は、距離に関係なく検索結果として表示されない。たとえば、上記の評価データに除外する評価も含むようにしておき、仮の順位を決定したのち、除外設定された出力用画像データがある場合は、これを仮の順位から取り除き、検索画像として選択されないように処理される。なお、除外設定は電子書籍ごとに個別に設定できる構成とすることが好ましい。これにより検索画像自体は特に問題はなく優れた写真画像であったとしても、当該電子書籍における文章との関連性という点で適切ではないことを評価することができる。
【００７５】
「友人と共有する」４３は、評価メニューではチェックボックスへの入力によって評価され、チェックされた場合は、その検索画像は、たとえば特定のＳＮＳ（Social Networking Service）サイトの管理サーバに、対応する出力用画像データをアップロードした上で、そのＳＮＳサイトにおいて、友人として設定されているユーザと共有することができる。「みんなと共有する」４４は、評価メニューではチェックボックスへの入力によって評価され、チェックされた場合は、その検索画像は、上記特定のＳＮＳサイトの管理サーバに、対応する出力用画像データをアップロードした上で、そのＳＮＳサイトにおいて、全てのユーザと共有することができる。
【００７６】
特に、外部データベースから、出力用画像データを検索結果として取得する場合、外部データベースに蓄積される出力用画像データは、時々刻々変化するので、同じ書籍用地点情報を検索キーとして検索しても、検索するタイミングによって検索結果も変化することになる。
【００７７】
「お気に入り」４１の評価としてお気に入り度の高い評価を入力しておくことで、その出力用画像データの重み付け係数を大きくすることができ、画像・音声検索部７による検索結果として取得され易くなる。たとえば、同じ検索結果となったとしても、気に入った検索画像を表示させることが好ましいとするユーザにとっては、「お気に入り」４１の評価を入力することが可能な構成が好ましい。
【００７８】
また、ユーザによっては、検索するタイミングによって表示される検索画像が変化するほうが好ましい場合もある。そのような場合は、「お気に入り」４１の評価を入力しなければよい。より積極的に変化を好む場合は、一度検索されたものは、全て「除外設定」４２の評価に入力すればよい。全ての検索画像に対して「除外設定」４２の評価を入力することは、操作が煩雑でユーザにかかる負荷が大きくなるので、「一括除外設定」の評価を入力することが可能に構成してもよい。「一括除外設定」の評価を入力した場合は、検索結果として得られた全ての出力用画像データに対して、検索結果から除外するように、評価データの各出力用画像データの内容が変更される。
【００７９】
次に、書籍用地点情報について説明する。書籍用地点情報は、予め電子書籍データとして含まれる場合と、新たに追加する場合とがある。新たに追加する場合には、上記のように、サーバ装置１４に文章データを送信し、サーバ装置１４の地点情報変換部１９で文章データに基づいて変換された地点情報を書籍用地点情報として追加する場合があり、その他に、以下のようにして追加することができる。
【００８０】
地点情報追加モードにより、ユーザが文章ごと、単語ごとに書籍用地点情報を関連付けることで、新たに書籍用地点情報を追加する。
【００８１】
図５は、地点情報追加モードにおける地点情報追加メニュー５０の表示例を示す図である。図５では、図２（ａ）で示したページデータに書籍用画像データが割り当てられていない場合のページ表示領域２０を表示したときの、地点情報追加メニュー５０の表示例を示している。文章領域２１に表示されている文章のうち、書籍用地点情報を追加したい単語、文または文章などを選択し、選択領域２１ａを保持した状態で地点情報追加メニュー５０を開いて、地点情報追加モードに移行する。地点情報追加メニュー５０は、地点を選択するための地図表示領域５１、地図表示領域５１に表示されている地図画像を拡大表示させるためのソフトキーである拡大キー５２、地図表示領域５１に表示されている地図画像を縮小表示させるためのソフトキーである縮小キー５３、追加する地点情報を指定するためのソフトキーである指定キー５４が表示され、地図表示領域５１の領域内における地点を指定するためのカーソル５５が表示される。地図表示領域５１に表示させる地図画像データは、書籍地点情報ＤＢ５に記憶されており、地点情報追加モードに移行すると、画像・音声検索部７が、書籍地点情報ＤＢ５から地図画像データを読み出して、地図表示領域５１に地図画像を表示させる。地図画像データには、地名、史跡名、施設名などの名称データおよび経緯度など地点を特定するための地点データが関連付けられており、選択領域２１ａに選択された単語を名称データから同一または類似の名称を検索し、一致するか最も類似度の高い名称に関連付けられた地方の地図画像データを地図表示領域５１に表示させる。このとき、地図表示領域５１内に、カーソル５５を表示させる。カーソル５５は、電子書籍表示装置１が備える入力装置によって、地図表示領域５１内での位置を適宜変更することができる。ユーザは、地図表示領域５１に表示されている地図画像を見ながら、カーソル５５を移動させて追加したい地点情報を示す地点を探す。なお、地図画像データは、ＤＢ５から読み出すだけでなく、地図画像データ提供サービスなどを利用し、インターネットを介して外部のサーバからダウンロードすることもできる。
【００８２】
地図表示領域５１に表示されている地図画像を拡大したいときは、拡大キー５２を操作すればよく、縮小したいときは、縮小キー５３を操作すればよい。拡大および縮小の変倍率は、予め設定されており、拡大キー５２、縮小キー５３を一回操作するごとに、設定された変倍率で、拡大処理および縮小処理を行う。
【００８３】
選択領域２１ａで選択された単語などについて、地図画像における１つの地点にまでカーソル５５を移動させ、指定キー５４を操作することで、選択領域２１ａで選択された単語などと、カーソル５５の移動後の位置の地点データに基づいて、地点情報を追加する。選択された単語などと、地点情報とが関連付けられて、書籍地点情報ＤＢ５に記憶される。
【００８４】
さらには、上述のように、ＳＮＳサイトにおいて、他のユーザが書籍用地点情報を所定のサーバ装置にアップロードすることが可能な場合に、この情報を利用することができる。この情報が、共有設定されている場合には、ＳＮＳサイトの他のユーザが設定し、アップロードした書籍用地点情報を取得して電子書籍表示装置１で利用することができる。ＳＮＳサイトでアップロードされる書籍用地点情報は、たとえば、地理情報を示す一般的なマークアップ言語であるＫＭＬ（Keyhole Markup Language）の付加情報として記述される。
【００８５】
出力用画像データおよび出力用音声データの検索の対象となる外部データベースとしては、各地点の風景写真や衛星写真を検索することができる地図サービスなどを利用することもできる。ＳＮＳサイトのアップロード用サーバを外部データベースとして検索対象とすることもできる。この場合、共有が許可されている画像データを出力用画像データとして検索することができ、ＳＮＳサイトにおいて、友人として設定されている特定のユーザがアップロードした共有画像データを検索結果として取得することができる。
【００８６】
上記では、画像・音声検索部７による出力用画像データおよび出力用音声データの検索において、地点間の距離に基づいて順位付けしており、お気に入り度の評価によって重み付け係数を用いる例を説明した。これに加えて、さらに年月日および時刻の情報に基づいて、重み付け係数を設定し、画像・音声検索部７による検索処理に用いてもよい。たとえば、出力用画像データおよび出力用音声データに地点情報の他に画像データの撮影日時、音声データの録音日時、各データの作成日時などの時刻情報が付与されている場合には、画像・音声検索部７は、検索を行おうとしている年月日および現在時刻と、時刻情報とを比較し、年月日が近いほど、時刻が現在時刻に近いほど重み付け係数を小さく、重み付け処理された後の距離が短くなるような係数とすればよい。
【００８７】
これによって、同じ地点で撮影された写真画像であっても、撮影時刻が現在時刻に近い写真画像が、検索結果として選択されることになる。また、年月日も現在に近いものが選択されるので、現在の季節により近いときに撮影された写真画像や録音された音声などが、検索結果として選択される。
【００８８】
図６は、電子書籍表示装置１によるページ表示処理を示すフローチャートである。
電子書籍表示装置１が、電子書籍データを表示するときには、ページごとに表示内容などを各種の表示設定に応じて設定し、表示画面に１ページごとに順次表示する。図６のフローチャートは、１ページ分の表示を行う場合を示している。
【００８９】
ステップＳ１では、表示制御部３がページ描画を行う。表示しようとするページのページデータに基づいて、文章領域２１および追加画像領域２２の大きさの設定などを行うとともに、文章領域２１に文章を表示する。ステップＳ２では、文章データに基づいて、書籍地点情報ＤＢ５を検索する。ステップＳ３では、文章データに関連付けられた書籍用地点情報が有ったかどうかを判断し、あればステップＳ４に進み、無ければ処理を終了する。書籍用地点情報が無かった場合は、該当ページに文章のみが表示されることになる。
【００９０】
ステップＳ４では、得られた書籍用地点情報を検索キーとして、画像・音声検索部７が、画像・音声ＤＢ６を検索する。ステップＳ５では、検索結果として出力用画像データ、または出力用音声データが取得されたかどうかを判断し、取得されればステップＳ６に進み、取得されなければ処理を終了する。検索結果が取得できなかった場合は、表示すべき検索画像が無いので該当ページに文章のみが表示される。
【００９１】
ステップＳ６では、検索結果として取得した出力用画像データおよび出力用音声データに基づいて、検索画像の表示および音声の出力を行う。
【００９２】
上記では、出力用画像データとして、写真画像のような静止画像を例として説明したが、これに限らず動画像であってもよい。出力用画像データとして動画像データが得られた場合であっても、静止画像と同様に、追加画像領域２２，３２および挿絵画像表示領域２３に、得られた動画像データに基づく動画を表示すればよい。
【００９３】
検索画像として表示する静止画像の枚数、動画像の再生時間、音声の再生時間などは、予め設定された枚数および時間であってもよいが、文章領域２１に表示される文章量に応じて適宜変更してもよい。１ページあたりの基準の文章量と基準の枚数および再生時間を予め設定しておき、基準の文章量に対する表示しようとするページの文章量の比率に合わせて、枚数および再生時間を算出すればよい。１ページあたりの文章量が多ければ、文章を読むための時間が長くなり、それだけそのページを表示している時間が長くなることになるので、表示する静止画の枚数および動画、音声の再生時間を長くする。
【００９４】
また、上記では、検索画像を追加画像領域２２，３２か、挿絵画像表示領域２３に表示しているが、このような画像を表示するための領域を設定せず、文章を表示する領域に背景画像や壁紙として検索画像を表示するようにしてもよい。
【００９５】
電子書籍の表示機能として、各ページを予め定める順序以外に、ユーザの好みの順序に並べ替えて表示することができる。このような並べ替え機能は、たとえば、旅行のガイドブックなどを表示する場合に有用である。ユーザは、自分の旅行日程に合わせてガイドブックの各ページの順序を並べ替えることにより、使い勝手のよいオリジナルの電子書籍ガイドブックを作成することができる。このようなガイドブックの各ページに表示する挿絵画像の代わりに検索画像を表示することもできる。また、旅行中に撮影したり、録音することによって、出力用地点情報が関連付けられた出力用画像データおよび出力用音声データを取得して画像・音声ＤＢ６に蓄積しておけば、ガイドブックを表示するときに、ユーザが自ら撮影、録音した画像や音声を、各ページの追加画像領域２２，３２および挿絵画像表示領域２３に表示させたり、スピーカから出力させることができる。これにより、旅行準備中および旅行中はガイドブックとして、旅行後は旅行記録として電子書籍を利用することができる。
【００９６】
さらに他の実施形態として、出力用画像データまたは出力用音声データに基づいて、電子書籍表示装置１に記憶されている電子書籍データを検索し、検索結果として電子書籍の書籍名や該当ページなどを表示させることもできる。本実施形態は、上記の実施形態と異なり、出力用画像データまたは出力用音声データに関連付けられている出力用地点情報を検索キーとして、書籍地点情報ＤＢ５を検索し、出力用地点情報で特定される地点と、書籍地点情報ＤＢ５に登録されている書籍用地点情報で特定される地点との距離が短い順に電子書籍の書籍名を取得する。
【００９７】
図７は、電子書籍検索結果画面の表示例を示す図である。電子書籍を検索する元になる画像を、画像・音声ＤＢ６に記憶されている出力用画像データの中から選択し、元画像表示領域６０に表示する。複数の出力用画像データ中から１つの画像データを選択する方法は、公知の方法を用いればよい。たとえば、画像ビューアによって複数の出力用画像データを順次表示し、１つの画像データを選択したり、複数の出力用画像データをサムネイル表示し、１つの画像データを選択することができる。
【００９８】
１つの出力用画像データが選択されると、関連付けられた出力用地点情報を取得し、取得した出力用地点情報を検索キーとして、書籍地点情報ＤＢ５を検索する。検索結果として、取得した電子書籍の書籍名を、検索結果表示領域６１の書籍名表示領域６２に表示する。書籍地点情報ＤＢ５を検索したときに、書籍名とともに、地点間の距離が短い書籍地点情報に関連付けられた文章データも取得しておき、検索結果表示領域６１の文章表示領域６３に、取得した文章データに基づく文章の一部を表示する。
【００９９】
さらに、書籍名表示領域６２に表示された書籍名、または文章表示領域６３に表示された文章を選択することで、選択された書籍名または文章の電子書籍データを表示させることが好ましい。
【０１００】
本実施形態では、電子書籍表示装置１に予め記憶されている電子書籍データを対象に検索する構成であるが、検索の対象を拡大し、たとえば電子書籍販売サイトにダウンロード販売用に商品登録されている電子書籍データを検索できるようにしてもよい。この場合、電子書籍販売サイトにおいて、各電子書籍データに書籍用地点情報が関連付けられている必要がある。書籍用地点情報が関連付けられていれば、出力用地点情報を検索キーとして、電子書籍販売サイトの商品を検索し、検索結果として書籍名などを取得することができ、検索結果を参考にしてユーザは、電子書籍販売サイトから電子書籍データを購入してダウンロードすることができる。
【符号の説明】
【０１０１】
１      電子書籍表示装置
２      表示パネル
３      表示制御部
４      書籍ＤＢ（データベース）
５      書籍地点情報ＤＢ（データベース）
６      画像・音声ＤＢ（データベース）
７      画像・音声検索部
８      撮像部
９      音声入力部
１０    ＧＰＳ受信部
１１    テキスト送信部
１２    地点情報受信部
１３    通信インターフェイス
１４    サーバ装置
１５    制御部
１６    外部ＤＢ（データベース）
１７    サーバ側通信インターフェイス
１８    キーワード抽出部
１９    地点情報変換部
１００  通信システム
【図１】
2013239084.tif 000003
【図２】
2013239084.tif 000004
【図３】
2013239084.tif 000005
【図４】
2013239084.tif 000006
【図５】
2013239084.tif 000007
【図６】
2013239084.tif 000008
【図７】
2013239084.tif 000009